(57)【特許請求の範囲】
【請求項１】
ビス，ネジ等の螺入部材を回動させる為の補助具であって、本体にはビット装着部とトルク取入部とが設けられ、このビット装着部の軸芯線とトルク取入部の軸芯線とは略直交する位置関係に設定されているとともに、両者はトルク取入部から導入されたトルクがビット装着部に伝達する構成に設けられ、本体の側面にしてビット装着部及びトルク取入部に係る軸芯線が直交する位置には所定長のハンドルが取り付けられるハンドル取付部が設けられ、このハンドル取付部に取り付けられるハンドルは前記トルク取入部に装着可能に構成されていることを特徴とするビス，ネジ等の螺入部材を回動させる為の補助具。
【請求項２】
請求項１記載のビス，ネジ等の螺入部材を回動させる為の補助具において、前記ハンドル取付部は本体の左右両側面に設けられていることを特徴とするビス，ネジ等の螺入部材を回動させる為の補助具。
【発明の詳細な説明】
【０００１】
【発明の属する技術分野】
本発明は、ビス，ネジ等の螺入部材を回動させる為の補助具に関するものである。
【０００２】
【従来の技術及び発明が解決しようとする課題】
従来から、例えば天井と壁との近接部、或いは、壁と壁との近接部などの所謂コーナー部におけるビス，ネジ等の螺入部材を螺着する作業は非常に困難であるとされる。
【０００３】
即ち、コーナー部において、例えば電動回動具の先端にドライバービットを装着して作業を行おうとした場合には、電動回動具の本体が邪魔になってしまい、或いは、電動回動具を使用せず手でドライバーを使って作業を行おうとした場合には、ドライバーを回動させる手が天井や壁に当たるなど非常に作業が困難である。
【０００４】
従って、従来、コーナー部におけるビス，ネジ等の螺入部材を螺着面に対して素早く真っすぐに螺入させることは極めて困難であった。
【０００５】
本発明は、上述の問題点を解決するビス，ネジ等の螺入部材を回動させる為の補助具を提供するものである。
【０００６】
【課題を解決するための手段】
添付図面を参照して本発明の要旨を説明する。
【０００７】
ビス，ネジ等の螺入部材を回動させる為の補助具であって、本体１にはビット装着部２とトルク取入部３とが設けられ、このビット装着部２の軸芯線Ａとトルク取入部３の軸芯線Ｂとは略直交する位置関係に設定されているとともに、両者はトルク取入部３から導入されたトルクがビット装着部２に伝達する構成に設けられ、本体１の側面にしてビット装着部２及びトルク取入部３に係る軸芯線Ａ，Ｂが直交する位置には所定長のハンドル４が取り付けられるハンドル取付部５が設けられ、このハンドル取付部５に取り付けられるハンドル４は前記トルク取入部３に装着可能に構成されていることを特徴とするビス，ネジ等の螺入部材を回動させる為の補助具に係るものである。
【０００８】
また、請求項１記載のビス，ネジ等の螺入部材を回動させる為の補助具において、前記ハンドル取付部５は本体１の左右両側面に設けられていることを特徴とするビス，ネジ等の螺入部材を回動させる為の補助具に係るものである。
【０００９】
【発明の作用及び効果】
本発明は、例えば既存の電動回動具の先端にトルク取入部３を連結するとともにビット装着部２にビットを装着し、この状態でトルク取入部３にトルクを付加すると、トルク取入部３から導入されたトルクがビット装着部２に伝達され、ビット装着部２に装着したビットは回動することになる。
【００１０】
また、本発明は、例えばコーナー部でのビス，ネジ等の螺着作業であっても電動回動具の本体或いは手が邪魔になることなくビス，ネジ等の螺入部材を螺着面に対して素早く真っすぐに螺入させることができることになる。即ち、本発明は、ビット装着部２の軸芯線Ａとトルク取入部３の軸芯線Ｂとが略直交する位置関係に設定されている為、ビット装着部２をビス，ネジ等の螺入部材の軸線に対して直線上に位置させた状態で、電動回動具の本体或いは手が邪魔にならない位置（天井や壁などの当たらない位置）でトルク取入部３にトルクを付加することができることになるから、例えばコーナー部におけるビス，ネジ等の螺着作業であっても、ビス，ネジ等の螺入部材を螺着面に対して真っすぐに螺入させることができることになる。その際、本体１の側面のハンドル取付部５に取り付けたハンドル４を握って固定した状態でビス，ネジ等の螺着作業を行えば、電動回動具から振動等が生じても確実なビス，ネジ等の螺着作業が可能となる。そして、このハンドル４は所定の長さを有する為、しっかりと握ることができ、この点においても確実な螺着作業が達成されることになる。
【００１１】
また、ハンドル４はトルク取入部３にも装着可能に設けられている為、このハンドル４をトルク取入部３に装着し、この状態でハンドル４を手動で回動させることでトルクを付加してビット装着部２を回動させることもでき、よって、電動回動具の使用の際に必要となるハンドル４が手動回動の際にも使用できることになる。一般にトルク取入部３は短長であり、握りづらいが、本発明のトルク取入部３に設けるハンドル４は所定の長さを有する為、良好な手動回動ができ、手動回動によってもコーナー部におけるビス，ネジ等の螺着作業が良好に行えることになる。
【００１２】
以上、本発明によれば、従来から困難とされていたコーナー部におけるビス，ネジ等の螺着作業を電動，手動双方において簡易に且つ良好に行うことができるなど非常に実用性に秀れ画期的なビス，ネジ等の螺入部材を回動させる為の補助具となる。
【００１３】
また、本発明は、ハンドル４を装着するハンドル取付部５が本体１の軸芯線Ａ，Ｂ夫々と直交する軸線位置に設けられている為、このハンドル取付部５に装着したハンドル４が非常に握り易くしっかりと本体１を固定してビス，ネジ等の螺着作業が良好に行えることになるなど非常に実用性に秀れ画期的なビス，ネジ等の螺入部材を回動させる為の補助具となる。
【００１４】
また、請求項２記載の発明においては、前記請求項１記載の発明の作用効果に加え、ハンドル取付部５を本体１の左右両側面に設けたから、例えばコーナー部での作業の際、コーナー部の壁が本体１の左側にある場合には、本体１の右側のハンドル取付部５にハンドル４を取り付けて作業を行うことができ、反対の場合には本体１の左側のハンドル取付部５にハンドル４を取り付けて作業を行うことができ、いつでもビス，ネジ等の螺着作業が最適な状態で行えることになるなど非常に実用性に秀れ画期的なビス，ネジ等の螺入部材を回動させる為の補助具となる。
【００１５】
【発明の実施の形態】
図面は本発明の一実施例を図示したものであり、以下に説明する。
【００１６】
符号Ｒは壁と壁とから成るコーナー部、７は断面六角形状のビット、８はネジ、９は既存の電動回動具である。
【００１７】
本実施例は、図１，３及び４に図示したように二枚合わせの合成樹脂製の本体１内に２軸が直交する位置関係（軸芯線Ａ，Ｂが直交する状態）となるかさ歯車構造（ベベルギア）が設けられている。尚、軸芯線Ａ，Ｂは直交する位置関係に限られるものではなく、作業条件など適宜作業に適した角度、例えば６０°や１２０°でも良く、また、軸芯線Ａ，Ｂの角度は適宜な手段により可変可能に構成しても良い。
【００１８】
この２軸のうち、一方の軸が請求項で言うビット装着部２であり、他方の軸が請求項で言うトルク取入部３である。
【００１９】
ビット装着部２は、図１に図示したように本体１から突出する突出筒部２ａが設けられ、この突出筒部２ａの先端にはビット７を嵌入装着し得る断面六角形状の嵌入孔２ｂが形成されている。この突出部２ａには嵌入孔２ｂに嵌入したビット７を係止する公知の係止機構、具体的には、嵌入孔２ｂ内にわずかに突出する自転可能なボール６と該ボール６を弾圧する板バネ材10とから成る係止機構が設けられている。従って、ビット装着部２にビット７を嵌入するだけで、嵌入孔２ｂ内における回り止めが達成され且つボール６により抜け止めが達成されることになる。尚、板バネ部材10はボール６が露出しない構造にしても良いのは勿論である。
【００２０】
トルク取入部３は、図１に図示したように本体１から突出する突出部３ａの先端に断面六角形状の杆状部３ｂが形成され、更に、この杆状部３ｂには電動回動具９に内装される図示省略の係止ボールが嵌入係止される係止溝３ｂ’が形成されている。
【００２１】
また、本実施例に係る本体１の左右両側面位置にして前記ビット装着部２及びトルク取入部３に係る軸芯線Ａ，Ｂと直交する軸線位置には雌螺子孔５ａが設けられている。この雌螺子孔５ａは後述する所定の長さのハンドル４を着脱自在に螺着し得るハンドル取付部５である。従って、本実施例は例えば電動回動具９に装着した状態で、片方の手で電動回動具９を持ち、もう片方の手11でハンドル４を握ってしっかりと本体１を固定した状態でビス，ネジ等の螺着作業が行えることになる。
【００２２】
ハンドル４は、図２に図示したように適宜な金属製の部材を棒状に形成したものであり、ハンドル４の一端には前記本体１の左右両側面に設けたハンドル取付部５に螺着し得る雄螺子部４ａが設けられ、他端にはトルク取入部３に被嵌装着し得る断面六角形状の嵌入孔４ｂが設けられている。従って、ハンドル４は、電動回動具９をトルク源として作業を行う場合には、本体１に装着してハンドル４として手11で握って使用でき、また、ハンドル４をトルク取入部３に装着することで、このハンドル４を手動により回動させることでこの手動回動をトルク源として使用することができることになる。
【００２３】
本実施例は上述のように構成したから、例えば電動回動具９の先端にトルク取入部３を連結するとともにビット装着部２にビット７を装着し、この状態でトルク取入部３にトルクを付加すると、トルク取入部３から導入されたトルクがビット装着部２に伝達され、ビット装着部２に装着したビット７は回動することになる。
【００２４】
また、本実施例は、例えばコーナー部Ｒでのビス８の螺着作業であっても電動回動具９の本体或いは手が邪魔になることなくビス８を螺着面に対して素早く真っすぐに螺入させることができることになる。即ち、本実施例は、ビット装着部２の軸芯線Ａとトルク取入部３の軸芯線Ｂとが直交する位置関係に設定されている為、ビット装着部２をビス８の軸線に対して直線上に位置させた状態で、電動回動具９の本体或いは手が邪魔にならない位置（天井や壁などの当たらない位置）でトルク取入部３にトルクを付加することができることになるから、例えばコーナー部Ｒにおけるビス８の螺着作業であっても、ビス８を螺着面に対して真っすぐに螺入させることができることになる。その際、本体１の側面のハンドル取付部５に取り付けたハンドル４を握って固定した状態でビス８の螺着作業を行えば、電動回動具９から振動等が生じても確実なビス８の螺着作業が可能となる。そして、このハンドル４は所定の長さを有する為、しっかりと握ることができ、この点においても確実な螺着作業が達成されることになる。
【００２５】
また、ハンドル４はトルク取入部３にも装着可能に設けられている為、このハンドル４をトルク取入部３に装着し、この状態でハンドル４を手動で回動させることでトルクを付加してビット装着部２を回動させることもでき、よって、電動回動具９の使用の際に必要となるハンドル４が手動回動の際にも使用できることになる。一般にトルク取入部３は短長であり、握りづらいが、本実施例のトルク取入部３に設けるハンドル４は握り易い所定の長さを有する為、良好な手動回動ができ、手動回動によってもコーナー部Ｒにおけるビス８の螺着作業が良好に行えることになる。
【００２６】
よって、本実施例によれば、従来から困難とされていたコーナー部Ｒにおけるビス，ネジ等の螺着作業を電動，手動双方において簡易に且つ良好に行うことができることになる。
【００２７】
また、ハンドル４を装着するハンドル取付部５が本体１の軸芯線Ａ，Ｂ夫々と直交する軸線位置に設けられている為、このハンドル取付部５に装着したハンドル４が非常に握り易くしっかりと本体１を固定してビス８の螺着作業が良好に行え、しかも、このハンドル取付部５を本体１の左右両側面に設けているから、例えばコーナー部Ｒでの作業の際、コーナー部Ｒの壁が本体１の左側にある場合には、本体１の右側のハンドル取付部５にハンドル４を取り付けて作業を行うことができ、反対の場合には本体１の左側のハンドル取付部５にハンドル４を取り付けて作業を行うことができ、いつでもビス８の螺着作業が最適な状態で行えることになる。
【図面の簡単な説明】
【図１】本実施例を示す側面図である。
【図２】本実施例に係るハンドルを示す斜視図である。
【図３】本実施例の使用状態を説明する斜視図である。
【図４】本実施例の使用状態を説明する斜視図である。
【符号の説明】
Ａ  軸芯線
Ｂ  軸芯線
１  本体
２  ビット装着部
３  トルク取入部
４  ハンドル
５  ハンドル取付部
【図１】
0003605292.tif 000002
【図２】
0003605292.tif 000003
【図３】
0003605292.tif 000004
【図４】
0003605292.tif 000005